(57)【要約】      （修正有）【課題】効率的に硬貨を仕分けできる仕分け板を提供する。【解決手段】表板２１と裏板２２とを備え、表板２１には選別する硬貨だけが通過できる程度の選別穴２４を形成し、同選別穴２４の縁部に接するように硬貨の厚み方向に突出して所定長さだけ連続する段差２３を形成してあり、裏板２２は、表板２１に対して硬貨が通過可能な程度の隙間を隔てて配置されて、選別穴２４の全部または一部を塞ぐとともに、表板２１と裏板２２との間に入り込んだ硬貨を表板２１と略平行な方向に誘導する経路を形成して同硬貨を表板２１の裏面側に排出する排出穴２５を備えている。【選択図】図４
2016130949.tif 000002
【特許請求の範囲】
【請求項１】
表板と裏板とを備え、
上記表板には選別する硬貨だけが通過できる程度の（角形の）選別穴を形成し、同選別穴の縁部に接するように硬貨の厚み方向に突出して所定長さだけ連続する段差を形成してあり、
上記裏板は、上記表板に対して硬貨が通過可能な程度の隙間を隔てて配置されて、上記選別穴の全部または一部を塞ぐとともに、上記表板と上記裏板との間に入り込んだ硬貨を上記表板と略平行な方向に誘導する経路を形成して同硬貨を表板の裏面側に排出する排出穴を備えていることを硬貨仕分け板。
【請求項２】
上記表板の断面形状は、硬貨の厚みに相当する上記段差が形成されるように階段状に屈曲された形状であり、上記選別穴が形成される各面ごとに上記表板と上記裏板とで挟まれるスリット状の経路が形成され、このスリット状の経路の周壁のうち、表板の裏側の空間に面する側壁部分に上記排出穴を形成したことを特徴とする請求項１に記載の硬貨仕分け板。
【請求項３】
上記排出穴は、上記段差を形成する側壁に形成されていることを特徴とする請求項１または請求項２に記載の硬貨仕分け板。
【請求項４】
上記表板は、上記選別穴を形成した面と、上記選別穴を形成していない面とを含む、二段以上の階段状に形成されていることを特徴とする請求項１〜請求項３のいずれかに記載の硬貨仕分け板。
【請求項５】
上記選別穴は概略四角形であることを特徴とする請求項１〜請求項４のいずれかに記載の硬貨仕分け板。
【請求項６】
上記選別穴を形成した面を二段以上含むことを特徴とする請求項１〜請求項５のいずれかに記載の硬貨仕分け板。
【請求項７】
硬貨収容室を有する財布であって、
表板と裏板とを備え、
上記表板には選別する硬貨だけが通過できる程度の（角形の）選別穴を形成し、同選別穴の縁部に接するように硬貨の厚み方向に突出して所定長さだけ連続する段差を形成してあり、
上記裏板は、上記表板に対して硬貨が通過可能な程度の隙間を隔てて配置されて、上記選別穴の全部または一部を塞ぐとともに、上記表板と上記裏板との間に入り込んだ硬貨を上記表板と略平行な方向に誘導する経路を形成して同硬貨を表板の裏面側に排出する排出穴を備えが硬貨仕分け板により、上記硬貨収容室を上記表板の表側と裏側とに区画していることを特徴とする財布。
【発明の詳細な説明】
【技術分野】
【０００１】
本発明は、硬貨仕分け板と、この硬貨仕分け板を使用した財布に関する。
【背景技術】
【０００２】
硬貨を仕分けする装置は、自動販売機をはじめとして各種の分野で利用されている。基本的には硬貨の外形に対応する仕分け穴を形成しておき、同仕分け穴に入り込むことが可能な硬貨を他の硬貨から分離する。
【０００３】
特許文献１に示す分別コインケースは、ケース内を水平方向に区分けする仕分け板を形成してあり、同仕分け板に選別する硬貨の外形よりもやや大きめの丸穴を形成してある。  仕分け板の上に複数種類の硬貨を載せ、ケース全体を揺すると、丸穴よりも小さな硬貨が同丸穴に対面したときに、その重みによって仕分け板の下に落ちる。
特許文献２に示す小銭整理箱は、上記分別コインケースを多段としたものといえる。
特許文献３に示す小銭ふり分け財布は、上記仕分け板にスリットを形成してあり、このスリットの長さよりも直径の小さい硬貨が同スリットをすり抜けて下に落ちる。
【先行技術文献】
【特許文献】
【０００４】
【特許文献１】特開２０１３−７７３３４号公報
【特許文献２】特開２００８−９９４９号公報
【特許文献３】特開平８−２４２９２２号公報
【発明の概要】
【発明が解決しようとする課題】
【０００５】
特許文献１に示す分別コインケースでは、仕分け板に乗せたコインが丸穴にぴったりと重なった位置でないと下部室に落下しない。従って、偶然に依存し、効率的に仕分けることができない。また、コインが重なり合うので、平面的には丸穴とコインが重なってもその間に他のコインがあるときには仕分けができないし、その上下関係が変化することすら難しい。また、丸穴の場合、仕分け自体は正確であるが、効率は悪い。このため、自ずから、ふたを開けるなどしてコインを見ながらコントロールせざるを得なくなる。
多段とした特許文献２に示すものも、同様の課題をもつことは明らかである。
特許文献３に示すように、スリットが形成してあるものでは、スリットよりも大きな硬貨が入り込んだときに詰まってしまうから、偶然最初の方に落ちた硬貨しか有効に仕分けできない。
【０００６】
本発明は、効率的に硬貨を仕分けできるようにする。
【課題を解決するための手段】
【０００７】
本発明は、その一態様の財布において、硬貨収容室を有する財布であって、表板と裏板とを備え、上記表板には選別する硬貨だけが通過できる程度の（角形の）選別穴を形成し、同選別穴の縁部に接するように硬貨の厚み方向に突出して所定長さだけ連続する段差を形成してあり、上記裏板は、上記表板に対して硬貨が通過可能な程度の隙間を隔てて配置されて、上記選別穴の全部または一部を塞ぐとともに、上記表板と上記裏板との間に入り込んだ硬貨を上記表板と略平行な方向に誘導する経路を形成して同硬貨を表板の裏面側に排出する排出穴を備えが硬貨仕分け板により、上記硬貨収容室を上記表板の表側と裏側とに区画した構成としてある。
【０００８】
上記構成において、財布の硬貨収容室を硬貨仕分け板によって区画してある。また、硬貨仕分け板は選別穴を形成してある側がの上方に位置する状態であるとする。硬貨仕分け板の表板の側に複数種類の硬貨を収容し、本財布を揺する。すると、硬貨は表板の側で無造作に移動する。このとき、一部の硬貨は突き出ている段差の上に乗る。段差に乗ったことで硬貨は垂直方向において一定の位置決めがなされることになる。段差は選別穴の縁部に接する位置で連続しているから、硬貨がこの段差に沿って移動をすると選別穴に入り込む確率が非常に高くなる。むろん、選別穴よりも大きな硬貨が入り込むことはない。一方、段差であるので、硬貨が重なり合ったまま段差上に保持される可能性は少なく、段差から落ちたり、段差に乗ったりすることを繰り返せば、まんべんなく硬貨が段差に乗り、選別穴で選別されやすい。選別穴に入り込む大きさの硬貨であれば、選別穴から表板の裏側に入り込む。選別穴は裏板によって塞がれつつも、表板との間の隙間に入り込んで表板とほぼ平行な方向に経路によって誘導される。一端経路に入り込めば選別穴からずれるので、選別穴からもとの硬貨収容室の側に戻ってしまうことはない。硬貨は経路によって排出穴に誘導され、表板の裏面側に排出される。表板の裏面側であるから、硬貨仕分け板にて区画された硬貨収容室の他方の部屋に入る。
【０００９】
選別穴の開口を塞ぐように裏板が配置されているので、硬貨が斜めに選別穴に入り込もうとすると、裏板に突き当たる。これによって、硬貨は表板や裏板と平行に近い状態に姿勢を矯正される。このため、選別穴は必ずしも丸穴に限らない。例えば、硬貨の直径よりもわずかに大きい一辺の正方形の選別穴とすることも可能になる。対角線の方が硬貨の直径よりも長いので、裏板がなければより大きな硬貨が選別穴を通過してしまうことが起こる。しかし、裏板によって表板の面と硬貨とがほぼ平行にならないと硬貨は選別穴に入れない。従って、大きな硬貨が選別穴を通過してしまうことは防がれている。
【００１０】
また、他の態様では、上記表板の断面形状は、硬貨の厚みに相当する上記段差が形成されるように階段状に屈曲された形状であり、上記選別穴が形成される各面ごとに上記表板と上記裏板とで挟まれるスリット状の経路が形成され、このスリット状の経路の周壁のうち、表板の裏側の空間に面する側壁部分に上記排出穴を形成する構成とすることができる。
【００１１】
このような構成においては、表板の断面形状が階段状に屈曲されるとともに、上記段差は、硬貨の厚みに相当するように形成されている。階段状に屈曲されているので、財布を揺すって上方に移動した硬貨は階段の段差に乗りやすい。また、段差の厚みが硬貨の厚みにほぼ相当すれば、段差に引っかかるのは一枚の硬貨だけであり、複数枚の硬貨が重なってしまうことで選別穴が塞がれる自体を防止できる。
【００１２】
さらに、階段状とすることで段差ごとに、上記選別穴が形成される各面ごとに上記表板と上記裏板とで挟まれるスリット状の経路を形成できる。そして、選別穴を通って同経路に入り込んだ硬貨はスリット状の経路の周壁のうち、表板の裏側の空間に面する側壁部分に形成された排出穴を通って表板の裏面側に排出される。
【００１３】
上記排出穴は、スリット状の経路の周壁のうち、上記段差を形成する側壁に形成されるようにしてもよい。
段差は突き出るように形成されているから、同段差の側の側壁の反対側には障害物がない。従って、この向きの側壁に排出穴を通して容易に表板の裏面側に排出される。
上記表板は、上記選別穴を形成した面と、上記選別穴を形成していない面とを含む、二段以上の階段状に形成するようにしてもよい。
【００１４】
選別穴を形成した面と、上記選別穴を形成していない面とが連続して階段状となっていれば、選別穴を形成していない面の裏側には構造物を形成しなくて良い。従って、選別穴を通って表板の裏側に入り込んだ硬貨が、硬貨は選別穴を形成していない面の裏側へと容易に移動できるようになる。
より詳しく説明すると、表板に選別穴を形成する場合、表板の裏側には経路や裏板を備える必要がある。すなわち、表板よりも裏側に構造物が必要となる。一方、表板に選別穴を形成しない場合はそのような構造物は必要ない。表板と表板とが段差でつながる階段状とした場合、表板の裏側に構造物が必要であっても段差の厚みの範囲であれば、構造物同士が上下に重なり合わず、硬貨は排出穴から下方に落下できる。言い換えると、構造物同士が上下に重なり合っていると、下の段の構造物は、排出穴から落下しようとする硬貨の邪魔になる。従って、段差を介して下の段に表板が続く場合の上の段には選別穴を形成しても問題はない。しかし、一番下の段の表板の場合、さらにその下には硬貨を落下させる空間がないので、その段の表板には選別穴を形成しないようにしている。このため、選別穴を形成した上の段と、選別穴を形成していない下の段との、二段以上の階段状とすることが好ましい。
【００１５】
上記選別穴は概略四角形とすることができる。上述したように、概略四角形の場合、丸穴よりも硬貨は入り込みやすい。また、上述したように対角線方向が長いものの、硬貨は斜めにならないので仕分け誤りも生じない。
上記選別穴を形成した面を二段以上含むように構成しても良い。
選別穴の数を多くすることで、硬貨が入りやすくなり、選別の効率が向上する。
【００１６】
なお、硬貨仕分け板は、財布の硬貨収容室と一体化する必要はない。従って、硬貨仕分け室だけを用意し、一般的な財布の硬貨収容室に挿入して同様の機能を果たすようにすることができる。
【発明の効果】
【００１７】
本発明の硬貨仕分け板と、この硬貨仕分け板を使用した財布により、非常に確率の低い偶然だけに頼る従来のものと比較して、より効率よく財布内で硬貨を仕分けすることが可能となる。
【図面の簡単な説明】
【００１８】
【図１】財布の一例を示す斜視図である。
【図２】財布の硬貨収容室を開口側から見た平面図である。
【図３】財布の硬貨収容室の断面を示す断面図である。
【図４】硬貨仕分け板の斜視図である。
【図５】同硬貨仕分け板の要部の拡大斜視図である。
【図６】同硬貨仕分け板の図４におけるＡ−Ａ線断面図である。
【発明を実施するための形態】
【００１９】
以下、図面にもとづいて本発明の実施形態を説明する。
図１は、財布の外観を斜視図により示しており、図２は、財布の硬貨収容室を開口側を平面図により示しており、図３は、財布の硬貨収容室の断面を断面図により示している。  
【００２０】
一般に、財布１０は硬貨収容室１１を備えていることが多い。本財布１０においても、硬貨収容室１１、カード入れ部１２、札入れ部１３などを備えている。硬貨収容室１１は、硬貨を出し入れしやすいように広げたり狭めたりすることができ、そのために対面する側面を蛇腹１４，１４で形成していることが多い。蛇腹１４は硬貨収容室１１を基準として、幅広とさせる部分と、幅狭とさせる部分とが連続するように形成されている。
【００２１】
本実施形態の硬貨仕分け板２０は、蛇腹１４，１４における幅広とさせる部分の幅と概ね一致する幅となっている。硬貨仕分け板２０を硬貨収容室１１に挿入していくと、蛇腹１４，１４における幅広とさせる部分に入り込んで硬貨収容室１１の奥で突き当たる。この状態で硬貨仕分け板２０は硬貨収容室１１内を当該硬貨仕分け板２０の表側と裏側とに区画することになる。
【００２２】
図４は、硬貨仕分け板を斜視図により示しており、図５は、同硬貨仕分け板の要部を拡大斜視図により示している。また、図６は、同硬貨仕分け板の図４におけるＡ−Ａ線断面図により示している。
硬貨仕分け板２０は、主に表板２１と、裏板２２とを備えている。表板２１と裏板２２は、部品として区分けされているものではなく、硬貨仕分け板２０の表面側に露出する部材か裏面側に露出する部材かによって呼び分けている。従って、製品を製造するにあたっては、一部材を折り返して作成しても良いし、裏板２２を基準にして、表板２１を裏板２２に固定するなど、適宜、状況に合わせて製造すればよい。
【００２３】
本硬貨仕分け板２０は、図４や図５に示すように、断面形状が概略階段状となっている。図において、階段状の表板２１は、上の側の２段の表板２１ａと、最下段の表板２１ｂとを備えている。それぞれの表板２１ａ，２１ｂが隣接する部分が段差２３を形成している。上の側の２段の表板２１ａには、正方形（四角形）の選別穴２４が形成されており、表板２１ａと裏板２２との間には経路２６が形成されるとともに、経路２６の側壁には排出穴２５が形成されている。なお、選別穴２４の一辺は階段形状を形成する段差２３と一致しており、段差２３は選別穴２４の縁部に接している。階段形状を形成する各段の高さは選別しようとする硬貨の一枚分の厚みに相当している。すなわち、段差２３はほぼ硬貨の厚み分だけの段差となっている。一枚分といっても硬貨の種類によってわずかな差があり、概ね一枚分と考えれば良い。実質的に、硬貨がこの段差に引っかかって乗る状態を形成できる程度の段差であればよい。従って、厳密には２枚分程度の段差であったとしても、１枚目は乗るものの、２枚目はすぐに落ちるということもありえるから、２枚程度の厚みに相当するものであっても良い。
【００２４】
裏板２２は、表板２１と、硬貨の厚み程度だけ離れた位置に支持される。裏板２２と表板２１とが対面し、側壁２７（２７ａ，２７ｂ）とともに筒状の経路２６を形成している。筒状の経路２６とすることで硬貨はこの経路２６内に進入したときに、同経路２６に沿って移動することができる。階段形状となっているので、側壁２７のうち一方の側壁２７ａは表面側に露出して段差２３を形成することになり、他方の側壁２７ｂは裏面側に露出することになる。そして、この裏面側に露出する側壁２７ｂに上記排出穴２５が形成されることになる。
【００２５】
裏板２２があることにより、表板２１に形成される選別穴２４をこの裏板２２が塞ぐことになる。本実施例においては、選別穴２４全体を塞ぐ状態となっている。裏板２２は上述した経路２６を形成するとともに、このように選別穴２４を塞ぐ機能も備えている。選別穴２４は正方形であり、その一辺は、選別する硬貨の直径よりもわずかに長く、この硬貨よりの次に大きな硬貨よりも短い長さとなっている。しかし、丸穴ではなくて正方形であるので対角線方向に硬貨が斜めに入ろうとした場合、入り込めてしまう。しかし、裏板２２が選別穴２４を塞ぐように支持されているので、斜めに入り込もうとした硬貨は表板とほぼ平行な角度に強制される。すると、選別穴２４と硬貨とが平行になり、真に選別穴２４の一辺よりも短い直径の硬貨だけが入り込めることになる。このため、裏板２２は必ずしも選別穴２４の全部を塞ぐ必要はないが、斜めに入り込めない程度に選別穴２４を塞ぐことが可能となっていなければならない。
【００２６】
硬貨が表板２１の上で選別穴２４に一致すると、選別穴２４の中に入り込むことができる。すると、硬貨は経路２６に入り込み、経路２６に沿って移動する。経路２６の周囲の壁面のうち、表板２１の裏面側に対面する側壁２７ｂには排出穴２５が形成してあるから、硬貨はこの排出穴２５を介して経路２６から排出されることになる。なお、選別穴２４は表板２１の一段に二つ形成してあり、排出穴２５は２つの選別穴２４と少しずれて３つ形成してある。選別穴２４とずれていることにより、硬貨は一度は経路２６内に完全に入り込み、経路２６内を移動する過程で排出穴２５に対面して排出されることになる。
【００２７】
このように、本硬貨仕分け板２０は、表板２１ａと裏板２２とを備え、表板２１ａには選別する硬貨だけが通過できる程度の（角形の）選別穴２４を形成してある。同選別穴２４の縁部に接するように硬貨の厚み方向に突出する段差２３を形成してあり、この段差２３は、階段形状を形成しているので、所定長さだけ連続するものとなっている。
裏板２２は、表板２１に対して硬貨が通過可能な程度の隙間を隔てて配置されている。裏板２２は選別穴２４の全部または一部を塞いでおり、表板２１と裏板２２との間に入り込んだ硬貨を、表板２１と略平行な方向に誘導する経路２６が形成されている。経路２６は裏板２２と表板２１と二つの側壁２７とによって筒状に形成されており、表板２１の裏面側に対面する側壁２７ｂには硬貨を排出する排出穴２５が形成されていることになる。  
【００２８】
さらに、少なくとも表板２１の断面形状は、硬貨の厚みに相当する段差２３が形成されるように階段状に屈曲された形状である。また、選別穴２４が形成される各面ごとに表板２１と裏板２２とで挟まれるスリット状の経路２６が形成され、このスリット状の経路２６の周壁のうち、表板の裏側の空間に面する側壁部分に排出穴２５を形成してある。
【００２９】
表板２１は、選別穴２４を形成した表板２１ａの面と、選別穴２４を形成していない表板２１ｂの面とを含み、合計二段以上の階段状に形成されている。上の段の表板２１ａの選別穴２４に入り込んだ硬貨は、上の段の表板２１ａで形成される経路２６の排出穴２５を介して排出されると、下の段の表板２１ａの裏側に落下してくることになる。従って、下の段の表板２１ａの裏側にもそのようなスペースがないと、硬貨を排出することができない。このため、最下段には選別穴２４を形成していない表板２１ｂが必要になり、都合、最小で二段あることが好ましい。
【００３０】
本実施例では、選別穴２４は正方形であり、概略四角形である。丸穴よりは正方形の方が開口面積が大きく、硬貨を選別穴２４に誘導するきっかけを作りやすいからである。
【００３１】
また、選別穴２４を形成した表板２１ａの面を二段以上形成したのは、選別の効率を向上させるためである。この例であれば、２つの選別穴２４より、４つの選別穴２４を形成している方が選別の効率も上がる。また、選別穴２４を形成した表板２１ａを２面備え、選別穴２４を形成していない表板２１ｂを１面備えたので、直接は選別に寄与しない表板２１ｂを減らし、選別穴２４の数を増やすことができる。
【００３２】
ここで、選別穴２４の大きさについて説明する。
日本の６種類の硬貨の場合、外形寸法を比較すると、
１円＜５０円＜５円＜１００円＜１０円＜５００円
となっている。選別穴２４の一辺は、５０円硬貨の直径より大きく、５円硬貨の直径より小さくしてある。このため、１円硬貨と５０円硬貨が選別穴２４を通過することができ、これら以外の４種類の硬貨は選別穴２４を通過できない。
【００３３】
「１円、５０円硬貨分離」とした理由は以下の通りである。
小銭投入室（硬貨収容室１１内で硬貨仕分け板２０の表面側の内部）内部における５０円と１００円の側面表情は類似しており判別しにくいため分離させることとした。１円は小銭投入室に比較的多くを保有されることが予測されるので、側面、大きさや色彩が類似している５０円、１００円と混同しやすく分離させることとした。しかし、１円と５０円とは違いは判断しやすいため、同居させることとした。５円は、１０円、１００円と同居しても色彩が異なるため判別しやすくそのままとし移動しなくて問題ないとした。
【００３４】
次に、分離室（硬貨収容室１１内で硬貨仕分け板２０の裏面側の内部）同居されることになる１円、５０円硬貨について考察する。
これらの硬貨の側面表情は、１円硬貨の平坦形状と、５０円硬貨のギザギザ面、孔の有無の違いがある。従って、２者の見分けは容易であるため、分離される小銭入れ内部で同居して問題はない。むろん「１円硬貨のみ」を分離することは可能であるが、できるだけ他の硬貨と分離させ小銭等入室の混在を緩和させる方が好ましいと考えた。以上から、１円、５０円硬貨を分離室に移動させる。
【００３５】
上記のように構成した本実施例の財布においては、以下のように硬貨の分離（仕分け）が行われる。
小銭投入室の硬貨は、ランダムに重なった状態で財布の最低部位に入っている。この判別しにくい状態の６種類の硬貨から１円、５０円硬貨を分離室に移動させるため財布１０本体を揺することで移動エネルギーが与えられ、硬貨仕分け板２０本体を通過することにより分離室に分離完了する。
【００３６】
硬貨収容室１１内の小銭投入室側に複数の種類の硬貨を投入したとする。この状態で財布１０を揺すると、小銭投入室内で硬貨はランダムに上下に振られることになり、その多くはそのまま硬貨収容室１１の底に落ちるが、一部は段差２３に引っかかり、段差２３に乗る。段差２３は直線上につながっているので、硬貨は段差２３に沿って転がる。硬貨が１円または５円であれば、選別穴２４と重なり合う位置で同選別穴２４内に入り込み、ついで経路２６内に沿って転がり、排出穴２５から分離室に落下する。経路２６内に入ると周囲を壁で囲まれているので他の硬貨や財布１０自体の布などによって移動を邪魔されない。このため容易に移動し、早期に排出穴２５から排出される。一方、５円硬貨より大きい硬貨は選別穴２４に重なり合ったとしても選別穴２４内に入り込むことができない。また、段差２３は硬貨一枚の厚み程度しかないので、選別穴２４に入り込めないとともに段差２３から外れて小銭投入室側の底に落下する。
【００３７】
この財布の場合、選別穴２４の一つの縁部が段差２３と接していることに特徴がある。財布の中で硬貨は段差２３に乗ることができるので、転がりながら選別穴２４に対面したときに少なくとも一辺において位置合わせがされていることになる。従って、選別穴２４にぴったり対面するのは偶然ではなく、計算された経路を移動するからである。これによって選別の効率は各段に向上する。
さらに、段差２３は硬貨の厚み程度にすぎないので、選別穴２４の前に複数枚の硬貨が重なり合っている状態というのはほぼ発生しない。
【００３８】
分離を、その方向に基づいて説明すると、財布１０を手によって前後等に振ることで硬貨に移動エネルギーが与えられ、順番的には、
１．最初に段差２３に引っかかることでＹ方向が決まり、
２．Ｙ方向を誘導されつつＸ方向に走行して選別穴２４に対する位置あわせが行われ、
３．選別穴２４に重なったところでＺ方向に移動して経路２６内部に落下進入し、
４．ほぼ硬貨一枚分の幅しかない経路２６内をＸ方向に邪魔されることなく自由に移動し、
５．最後はＹ方向に排出穴２５から分離室へ移動して完了する。
【００３９】
本実施例の場合、全ての四角形の選別穴２４で素早い分離をさせるため、開口部の寸法は５０円硬貨の寸法の一種類とした。また、寸法の異なる選別穴２４を形成した硬貨仕分け板２０を前後に複数枚並列に設置させることによりさらに細かい仕分けが可能となる。すなわち、裏面側に重なるものほど選別穴２４の寸法が小さくなるように並べると、硬貨仕分け板２０の数の種類だけ硬貨を分離することが可能となる。
【００４０】
なお、硬貨仕分け板２０の最下端部は投入されたコインをＸ方向に動きやすく支えるため、底部にも段差２３と同様の形状の平坦部２８を形成した。硬貨仕分け板２０の素材としては、財布１０であるため、しなやかさが必要であり、アクリル樹脂などしなやかでタフな材料であればよい。
本硬貨仕分け板２０は、財布１０と一体的に形成しても良いし、単独で製造して各人の財布の形状に合わせて周囲を切り取って挿入することも可能である。
【００４１】
以上説明したように、本発明の硬貨仕分け板は、以下のような特徴も有する。
１：薄型の仕分け隔壁の内部に斬新な「篩」に掛けた仕分け方法を採用し、硬貨仕分けを「従来の偶然通過」を期待することなく「必然的な通過」とさせる性能を有している。
２：財布内部スペースを狭くすることなく有効に使える。
３：先行特許に多く見られる円形開口と異なり四角形の開口は該当硬貨を素早く通過させる。
４：選別穴前の段差には、硬貨がほぼ１枚しか乗ることができず、選別穴２４の前で硬貨が混み合うことをなくしている。さらに、筒状の経路２６を設け、他の硬貨の影響を受けることなく硬貨は単独で横行し、排出穴２５を通過できる。
６：日本の硬貨に限られず、米国、中国、ユーロなど各種の硬貨のサイズに合わせ同様な対応が可能である。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…財布、１１…硬貨収容室、１２…カード入れ部、１３…札入れ部、１４…蛇腹、２０…硬貨仕分け板、２１（２１ａ，２１ｂ）…表板、２２…裏板、２３…段差、２４…選別穴、２５…排出穴、２６…経路、２７（２７ａ，２７ｂ）…側壁、２８…平坦部。
【図１】
2016130949.tif 000003
【図２】
2016130949.tif 000004
【図３】
2016130949.tif 000005
【図４】
2016130949.tif 000006
【図５】
2016130949.tif 000007
【図６】
2016130949.tif 000008